(57)【要約】【課題】歯打ちによる振動及び騒音を抑制できるとともに、燃費の向上を図れる車両の内燃機関制御装置を提供する。【解決手段】手動変速機が中立状態であり（Ｓ２０）且つクラッチが係合状態である（Ｓ３０）時に手動変速機の回転速度変動幅が所定値より大きい状態（Ｓ５０）が所定時間Ｔ１以上継続された（Ｓ６０）ことを条件としてエンジンの回転速度を上昇させる増速制御を実行する（Ｓ９０）。【選択図】図５
2010071109.tif 000002
【特許請求の範囲】
【請求項１】
歯車列により変速を行う変速機と、前記変速機と内燃機関との間の駆動力を伝達・遮断できる係合装置と、を備えた車両の内燃機関制御装置において、
前記変速機が中立状態であり且つ前記係合装置が駆動力を伝達する状態である時に前記変速機の歯車同士が反復して叩き合う歯打ちを検出する歯打ち検出手段を有し、
前記歯打ちが検出されたことを条件として前記内燃機関の回転速度を上昇させる増速制御を実行する
ことを特徴とする車両の内燃機関制御装置。
【請求項２】
請求項１に記載の車両の内燃機関制御装置において、
前記歯打ち検出手段は、前記内燃機関の出力軸から前記変速機の入力軸までの動力伝達系が共振した時に前記歯打ちを検出する
ことを特徴とする車両の内燃機関制御装置。
【請求項３】
請求項１又は２に記載の車両の内燃機関制御装置において、
前記車両には前記内燃機関の出力変動を吸収する変動吸収手段が備えられ、
前記歯打ち検出手段は、前記内燃機関の出力変動が前記変動吸収手段の吸収できる変動吸収領域より大きい時に歯打ちを検出する
ことを特徴とする車両の内燃機関制御装置。
【請求項４】
請求項３に記載の車両の内燃機関制御装置において、
前記係合装置は、プリダンパと前記プリダンパよりも弾性係数が大きいメインダンパとを有し、
前記変動吸収手段は前記プリダンパである
ことを特徴とする車両の内燃機関制御装置。
【請求項５】
請求項１〜４のいずれか１項に記載の車両の内燃機関制御装置において、
前記歯打ち検出手段は、前記変速機の入力軸の回転速度変動幅が前記内燃機関の回転速度変動幅よりも所定値以上大きい時に前記歯打ちを検出する
ことを特徴とする車両の内燃機関制御装置。
【請求項６】
請求項５に記載の車両の内燃機関制御装置において、
前記歯打ち検出手段は、前記変速機の入力軸の回転速度変動幅と前記内燃機関の回転速度変動幅との比が所定値より大きい時に前記歯打ちを検出する
ことを特徴とする車両の内燃機関制御装置。
【請求項７】
請求項１〜４のいずれか１項に記載の車両の内燃機関制御装置において、
前記歯打ち検出手段は、前記変速機の入力軸を回転可能に保持するケースの振動振幅が所定値より大きい時に前記歯打ちを検出する
ことを特徴とする車両の内燃機関制御装置。
【請求項８】
請求項１〜７のいずれか１項に記載の車両の内燃機関制御装置において、
前記増速制御は、前記歯打ちが検出されなくなるまで前記内燃機関の回転速度を上昇させる
ことを特徴とする車両の内燃機関制御装置。
【請求項９】
請求項１〜８のいずれか１項に記載の車両の内燃機関制御装置において、
前記増速制御は、前記歯打ちが検出されなくなった後に前記内燃機関の回転速度を低下させる
ことを特徴とする車両の内燃機関制御装置。
【発明の詳細な説明】
【技術分野】
【０００１】
この発明は内燃機関の出力変動に起因して変速機の歯車が歯打ちを起こすことを抑制する内燃機関の制御装置に関する。
【背景技術】
【０００２】
エンジンを駆動力源として走行する車両においては、エンジンの駆動力はクラッチを介して変速機に入力される。入力された駆動力は車両の運転状態、又は運転者の操作に基づいて変速され、車軸に連結される出力軸に出力される。このようなエンジンから車軸までの動力伝達系には種々の制振機構が設けられており、エンジンの出力変動に起因する振動及び騒音を抑制している。
【０００３】
エンジンの出力変動に起因する振動・騒音の１つに、歯車列を備えた変速機で発生する歯打ちがある。歯打ちは、アイドル運転時にエンジンの出力変動が変速機のインプットシャフトに入力された時に、インプットシャフトのトップギヤとカウンタシャフトのカウンタシャフトドライブギヤとが叩き合うことにより生じ、振動と騒音を発生させる。
【０００４】
この歯打ちを抑制するために、種々あるクラッチの中にはプリダンパが設けられているものがある。プリダンパの弾性係数は、走行中や発進時に車軸に伝達される急激な出力変動を吸収するメインダンパと比較して小さくなっており、このプリダンパによりエンジンの出力変動を吸収することで歯打ちを抑制している。
【０００５】
しかし、このプリダンパは、変速機の回転抵抗に対して変動吸収領域を持っており、回転抵抗が変動吸収領域外の値である場合は、エンジンの出力変動を吸収することができない。そのため、油温の低下により、回転抵抗が増大し、変動吸収領域を外れてしまうと、出力変動が吸収されず、歯打ちが発生する。
【０００６】
このような回転抵抗の変化による歯打ちを抑制する機構として、回転抵抗付加機構付き歯車変速機が特許文献１に開示されている。この特許文献１では、予め回転抵抗が付与された状態で変動吸収領域において作動するようにプリダンパの特性を設定し、エンジンが所定低回転領域で油温が所定温度以上である時にカウンタシャフトに回転抵抗を与えることで、回転抵抗をプリダンパの変動吸収領域内の値にして歯打ちの発生を防止している。
【特許文献１】特開２００５−２７３８２３号公報
【発明の開示】
【発明が解決しようとする課題】
【０００７】
ところで、内燃機関の燃料消費量を抑えるためには、アイドリング時のエンジン回転速度（アイドル回転速度）をエンジンストールが起こらない回転速度域の中で低く設定する必要がある。
【０００８】
しかしながら、エンジンの出力変動は各燃焼室で燃料が燃焼する際の圧力変動に起因しているため、アイドル回転速度を低くするとエンジンの出力変動の周期が長くなり、その結果出力変動幅が大きくなる。
【０００９】
そのため、たとえクラッチがプリダンパを備えていても、アイドル回転速度を低くすると、エンジンの出力変動幅がプリダンパの吸収変動領域を超えてしまい、プリダンパで出力変動を吸収することができなくなり、その結果、歯打ちが生じ、振動及び騒音が発生する可能性がある。
【００１０】
尚、このようなアイドル回転速度を低くすると歯打ちが生じるという問題は、上述のようなプリダンパ付きクラッチを有する場合のみに発生するものではなく、内燃機関の動力が、歯車列により変速する変速機に入力される構成であれば発生するものである。
【００１１】
本発明はこうした実情に鑑みてなされたものであり、その目的は、歯打ちによる振動及び騒音を抑制できるとともに、燃費の向上を図れる車両の内燃機関制御装置を提供することにある。
【課題を解決するための手段】
【００１２】
以下、上記目的を達成するための手段及びその作用効果について記載する。
請求項１に記載の発明は、歯車列により変速を行う変速機と、変速機と内燃機関との間の駆動力を伝達・遮断できる係合装置と、を備えた車両の内燃機関制御装置において、変速機が中立状態であり且つ係合装置が駆動力を伝達する状態である時に変速機の歯車同士が反復して叩き合う歯打ちを検出する歯打ち検出手段を有し、歯打ちが検出されたことを条件として内燃機関の回転速度を上昇させる増速制御を実行することをその要旨とする。
【００１３】
内燃機関の回転速度を上昇させると、出力変動の周期が短くなるとともに出力変動幅も狭くなる。上記構成によれば、歯打ちが検出されたことを条件として内燃機関の回転速度を上昇させる増速制御を実行するため、歯打ちが発生しないようにアイドル回転速度を予め高く設定する場合と比較して、歯打ちが発生していない時のアイドル回転速度を低くすることができることから燃費の向上を図れるとともに、歯打ちによる振動・騒音を低減することができる。
【００１４】
請求項２に記載の発明は、請求項１に記載の発明において、歯打ち検出手段は、内燃機関の出力軸から変速機の入力軸までの動力伝達系が共振した時に歯打ちを検出することをその要旨とする。
【００１５】
上記構成によれば、歯打ち検出手段は、内燃機関の出力軸から変速機の入力軸までの動力伝達系が共振した時に歯打ちを検出するため、共振により急激に増大される歯打ちを抑制することができる。
【００１６】
請求項３に記載の発明は、請求項１又は２に記載の発明において、車両には内燃機関の出力変動を吸収する変動吸収手段が備えられ、歯打ち検出手段は、内燃機関の出力変動が変動吸収手段の吸収できる変動吸収領域より大きい時に歯打ちを検出することをその要旨とする。
【００１７】
内燃機関の出力変動が変動吸収手段の吸収できる限界の変動を超えた場合、歯打ちが発生する。上記構成によれば、歯打ち検出手段は内燃機関の出力変動が変動吸収手段の吸収できる変動吸収領域より大きい時に歯打ちを検出し、歯打ちが検出されたことを条件として内燃機関の回転速度を上昇させる増速制御を実行するため、内燃機関の出力変動が変動吸収手段の変動吸収領域を超えて発生する歯打ちを抑制することができる。その結果、振動・騒音を低減することができる。
【００１８】
具体的には、請求項４に記載の発明によるように、係合装置はプリダンパとプリダンパよりも弾性係数が大きいメインダンパとを有し、変動吸収手段はプリダンパであるといった構成でもよい。この場合、内燃機関の出力変動がプリダンパの吸収できる変動吸収領域より大きい時に歯打ちを検出し、歯打ちが検出されたことを条件として内燃機関の回転速度を上昇させる増速制御を実行するため、プリダンパの段付きに起因する振動・騒音を低減することができる。
【００１９】
請求項５に記載の発明は、請求項１〜４のいずれか１項に記載の発明において、歯打ち検出手段は、変速機の入力軸の回転速度変動幅が内燃機関の回転速度変動幅よりも所定値以上大きい時に歯打ちを検出することをその要旨とする。
【００２０】
上記構成によれば、歯打ち検出手段は変速機の入力軸の回転速度変動幅が内燃機関の回転速度変動幅よりも所定値以上大きい時に歯打ちを検出し、歯打ちが検出されたことを条件として内燃機関の回転速度を上昇させる増速制御を実行するため、内燃機関の出力変動が増幅されている、すなわち共振が起こっている時に内燃機関の回転速度を高くして、共振により歯打ちが増大されることを抑制できる。
【００２１】
請求項６に記載の発明は、請求項５に記載の発明において、歯打ち検出手段は、変速機の入力軸の回転速度変動幅と内燃機関の回転速度変動幅との比が所定値より大きい時に歯打ちを検出することをその要旨とする。
【００２２】
上記構成によれば、歯打ち検出手段は、変速機の入力軸の回転速度変動幅と内燃機関の回転速度変動幅との比が所定値より大きい時に歯打ちを検出するため、共振の発生をより正確に検出することができる。
【００２３】
請求項７に記載の発明は、請求項１〜４のいずれか１項に記載の発明において、歯打ち検出手段は、変速機の入力軸を回転可能に保持するケースの振動振幅が所定値より大きい時に歯打ちを検出することをその要旨とする。
【００２４】
上記構成によれば、歯打ち検出手段は変速機の入力軸を回転可能に保持するケースの振動振幅が所定値より大きい時に歯打ちを検出するため、歯打ちを検出するための振動振幅をケースの外側から測定でき、その結果、歯打ち検出手段を簡素な構造にすることができる。
【００２５】
請求項８に記載の発明は、請求項１〜７のいずれか１項に記載の発明において、増速制御は、歯打ちが検出されなくなるまで内燃機関の回転速度を上昇させることをその要旨とする。
【００２６】
上記構成によれば、内燃機関の回転速度を上昇させる増速制御は歯打ちが検出されなくなるまで内燃機関の回転速度を上昇させるため、歯打ちを抑制するために必要な内燃機関の回転速度まで回転速度を上昇させ、確実に歯打ちを抑制することができる。
【００２７】
請求項９に記載の発明は、請求項１〜８のいずれか１項に記載の発明において、増速制御は、歯打ちが検出されなくなった後に内燃機関の回転速度を低下させることをその要旨とする。
【００２８】
上記構成によれば、内燃機関の回転速度を上昇させる増速制御は、歯打ちが検出されなくなった後に内燃機関の回転速度を低下させるため、歯打ちが抑制された後に必要以上に内燃機関の回転速度を高く保つことがなく、燃費の向上を図ることができる。
【発明を実施するための最良の形態】
【００２９】
以下、図１〜６を引用して本発明にかかる車両の内燃機関制御装置を適用した第１の実施形態について説明する。
図１は、この発明にかかる車両の内燃機関制御装置を搭載した車両のパワートレーンを示す概略構成図である。
【００３０】
車両は、エンジン１と、手動変速機３と、ディファレンシャルギヤ５と、手動変速機３とディファレンシャルギヤ５とを覆う手動変速機ケース４と、ドライブシャフト７と、駆動輪９（前輪）と、ＥＣＵ（Electronic Control Unit）１１とを含む。本発明に係る車両の動力伝達系の共振判定装置は、ＥＣＵ１１により実現される。
【００３１】
エンジン１は、燃焼室に燃料を供給するインジェクタと同燃焼室に吸入される空気量を調節する電子スロットルバルブ１３とを備えている。インジェクタの燃料噴射量と電子スロットルバルブ１３の開度はそれぞれＥＣＵ１１により制御されており、燃焼室で燃料と空気との混合気が燃焼させられることによりシリンダ内のピストンが押し下げられて、クランクシャフトが回転させられる。
【００３２】
エンジン１の出力軸であるクランクシャフトにはフライホイール１７とクラッチ１５とを介して手動変速機３が連結されており、回転駆動力の伝達・遮断が可能となっている。クラッチ１５は運転者のクラッチペダルＣ操作により係合状態（伝達状態）と開放状態（遮断状態）が選択される。
【００３３】
クラッチ１５を介して回転駆動力が伝達される手動変速機３は、１つの回転軸に設けられた複数のギヤがもう１つの回転軸に設けられたギヤと噛み合った構造になっている。運転者がシフトレバーＳを所定の変速段を選択する位置に操作すると、シフトケーブルを介してシフトフォークがスライドし、運転者の選択した変速段を形成するためのギヤが回転駆動力を伝達するようになる。
【００３４】
手動変速機３の出力軸は、ディファレンシャルギヤ５を介して左右のドライブシャフト７と連結され、左右の駆動輪９に回転駆動力を伝達することを可能にしている。ディファレンシャルギヤ５は、手動変速機３の出力軸の回転数を所定の終減速比で減速するとともに、左右の駆動輪９に回転駆動力を分配することを可能にしている。
【００３５】
以下に、ＥＣＵ１１と各センサの構成について述べる。
ＥＣＵ１１には、車速センサ１９と、シフトレバーＳのポジションスイッチ２１と、アクセルペダルＡのアクセル開度センサ２３と、ブレーキペダルＢのストロークセンサ２５と、電子スロットルバルブ１３のスロットル開度センサ２７と、エンジン回転速度センサ２９と、Ｔ／Ｍ入力軸回転速度センサ３１と、クラッチＣの踏力センサ３３と、ケース振動センサ３５とがハーネスなどを介して接続されている。
【００３６】
車速センサ１９は、ドライブシャフト７の回転数から車両の速度を検知し、検知結果を表す信号をＥＣＵ１１に送信する。
シフトレバーＳの位置は、ポジションスイッチ２１により検知され、検知結果を表す信号がＥＣＵ１１に送信される。
【００３７】
アクセル開度センサ２３は、アクセルペダルＡの開度（踏み込み量）を検知し、検知結果を表す信号をＥＣＵ１１に送信する。
ストロークセンサ２５は、ブレーキペダルＢのストローク量を検知し、検知結果を表す信号をＥＣＵ１１に送信する。
【００３８】
スロットル開度センサ２７は、アクチュエータにより開度が調整される電子スロットルバルブ１３の開度を検知し、検知結果を表す信号をＥＣＵ１１に送信する。
エンジン回転速度センサ２９は、エンジン１の出力軸であるクランクシャフトの回転数を検知し、検知結果を表す信号をＥＣＵ１１に送信する。
【００３９】
Ｔ／Ｍ入力軸回転速度センサ３１は、手動変速機３の入力軸回転数ＮＴを検知し、検知結果を表す信号をＥＣＵ１１に送信する。
踏力センサ３３は、クラッチＣの踏力を検知し、検知結果を表す信号をＥＣＵ１１に送信する。
【００４０】
ケース振動センサ３５は、手動変速機ケース４の振動の大きさを検出し、検知結果を表す信号をＥＣＵ１１に送信する。
ＥＣＵ１１は、車速センサ１９、ポジションスイッチ２１、アクセル開度センサ２３、ストロークセンサ２５、スロットル開度センサ２７、エンジン回転速度センサ２９、Ｔ／Ｍ入力軸回転速度センサ３１、などから送られてきた信号を入力し、ＲＯＭ（Read Only Memory）に記憶されたマップおよびプログラムに基づいて、車両が所望の走行状態となるように、エンジン１および機器類を制御する。
【００４１】
以下、上述のクラッチ１５を構成するクラッチディスク４０について説明する。
図２は、第１の実施形態におけるクラッチディスク４０の正面構造を示す部分断面図、図３は同クラッチディスク４０の内部構造を示す断面図である。
【００４２】
このクラッチディスク４０は、主に、中心のハブ４２と、ハブ４２の外周側に配置されるとともにハブ４２に対し第１所定角度まで相対回転可能なサブプレート４４と、ハブ４２の軸方向にサブプレート４４と隣接して配置されるとともにハブ４２及びサブプレート４４に対し第２所定角度まで相対回転可能なクラッチプレート４６及びリテーニングプレート４８と、摩擦機構５０とを備えている。摩擦機構５０は、プレート４６，４８とハブ４２及びサブプレート４４との間で相対回転が生じる時に所定のヒステリシストルクを発生させる機構である。
【００４３】
クラッチディスク４０の中心に配置されたハブ４２は、軸方向に伸びる円筒状のボス４２ａと、ボス４２ａの外周に一体に形成されたフランジ４２ｂとから構成されている。ボス４２ａの内周にはスプラインが形成されており、そのスプラインと手動変速機３の入力軸（図示せず）の外周に形成されたスプラインとがかみ合うことで、ハブ４２と手動変速機３の入力軸は一体回転するように連結されている。フランジ４２ｂの外周には複数の突起４２ｃが円周方向に等間隔で形成されており、フランジ４２ｂにおいて径方向に対向する２箇所にはプリダンパ５２の円周方向両端を受けるための切欠き４２ｄが形成されている。
【００４４】
ハブ４２の外周側に配置された円盤状のサブプレート４４は、その内周に内側突起４４ａが形成されており、内側突起４４ａは、等間隔でハブ４２の突起４２ｃの間にそれぞれ位置している。突起４２ｃと内側突起４４ａとの間には円周方向に所定の隙間が確保されており、これによりハブ４２とサブプレート４４とが第１所定角度までの範囲において相対回転可能となっている。
【００４５】
また、サブプレート４４の内周には、ハブ４２の切欠き４２ｄに対応する２個所に内側切欠き４４ｂが形成されており、これらの切欠き４２ｄと内側切欠き４４ｂとの双方に略半分ずつ嵌合するようにプリダンパ５２が配置されている。尚、図２に示す状態では、突起４２ｃは内側突起４４ａ間で回転方向Ｒ２側に配置されている。すなわち、ハブ４２がサブプレート４４に対してＲ２側に捩じれている。
【００４６】
サブプレート４４の外周には、径方向外方に延びる４つの突出部４４ｃが形成されており、各突出部４４ｃには、円周方向に延びる窓孔４４ｄが形成されている。各突出部４４ｃの間には外側切欠き４４ｅが形成されている。
【００４７】
サブプレート４４の軸方向両側方には、クラッチプレート４６及びリテーニングプレート４８がハブ４２のボス４２ａに対して回転自在に配置されている。これらは、概ね円板状の一対の部材であるとともに、サブプレート４４の窓孔４４ｄに対応した位置にそれぞれ窓孔４６ａ及び窓孔４８ａが形成されている。これらの窓孔４６ａ，４８ａ，４４ｄ内にはメインダンパ５４が配置されている。
【００４８】
窓孔４６ａ，４８ａ，４４ｄ内に配置されたメインダンパ５４は、大径のスプリングとその内側に配置された小径のスプリングとを含む。メインダンパ５４の円周方向両端は、サブプレート４４の窓孔４４ｄの円周方向両端と、クラッチプレート４６の窓孔４６ａの円周方向両端と、リテーニングプレート４８の窓孔４８ａの円周方向両端とにそれぞれ当接している。尚、メインダンパ５４の弾性係数は、プリダンパ５２の弾性係数よりも大きく設定されている。
【００４９】
クラッチプレート４６及びリテーニングプレート４８は当接ピン５６により互いに固定されている。この当接ピン５６は、サブプレート４４に形成された外側切欠き４４ｅ内に配置されるように設定されている。当接ピン５６と外側切欠き４４ｅとの間には円周方向に所定の隙間が確保されているため、プレート４６，４８とサブプレート４４とは相対回転可能である。
【００５０】
クラッチプレート４６の外周に配置された摩擦連結部５８は、主に、クッショニングプレート６０と、クッショニングプレート６０の両面に固着された円環状の摩擦フェーシング６２とから構成されている。クッショニングプレート６０は、円環状の環状部６０ａと、環状部６０ａから外周側に突出して形成された複数のクッショニング部６０ｂとを有している。環状部６０ａはその一部が内周側に突出しており、その突出した部分が当接ピン５６によりクラッチプレート４６に固定されている。
【００５１】
クラッチプレート４６とサブプレート４４との間には第１摩擦ワッシャー４５ａが、リテーニングプレート４８とサブプレート４４との間には第２摩擦ワッシャー４５ｂが、それぞれ設けられており、これらからなる摩擦機構５０によりプレート４６，４８とハブ４２及びサブプレート４４との間で相対回転が生じる時に所定のヒステリシストルクを発生させる。
【００５２】
ここで、請求項に記載の構成要素が実施形態においてどの構成要素に相当するのかを説明すると、係合装置はクラッチ１５、車両の内燃機関制御装置はＥＣＵ１１、変動吸収手段はメインダンパ５４及びプリダンパ５２に相当する。
【００５３】
次に、クラッチディスク４０の動作について図４を用いて説明する。
摩擦フェーシング６２がエンジン側のフライホイール１７に押し付けられると、エンジン側のフライホイール１７のトルクがクラッチプレート４６及びリテーニングプレート４８に入力される。このトルクは、メインダンパ５４、サブプレート４４、プリダンパ５２を介してハブ４２に伝達され、さらに手動変速機３の入力軸に伝達される。
【００５４】
図４（ａ）はクラッチ捻り特性線図である。横軸はフライホイール１７と手動変速機３の入力軸との捻り角度であり、縦軸はダンパの弾性力により発生する捻りトルクである。
例えば、手動変速機３がニュートラルでありさらに油温が高い、といった手動変速機３の入力軸にかかる回転抵抗が小さい時は、回転速度を一定に保つためにプリダンパ５２を介して伝達されるトルクも小さいため、プリダンパ５２が縮められる長さは短い。プリダンパ５２が縮められる長さが短いということは、ハブ４２の突起４２ｃがサブプレート４４における隣り合う内側突起４４ａの中心付近に位置することを意味する。
【００５５】
突起４２ｃが隣り合う内側突起４４ａの中心付近に位置すると、捻り角の正側と負側とにほぼ等しい可動範囲を持つ。そのため、図４（ａ）に示す＋θ１から−θ１までの間の振動のように変動吸収領域内において、プレート４６，４８及びサブプレート４４とハブ４２との間で相対回転が生じる。すなわち、フライホイール１７からクラッチディスク４０に伝達されたエンジン出力変動による捻り角度が、ハブ４２の突起４２ｃとサブプレート４４の内側突起４４ａとの間の円周方向隙間により許容可能である相対回転角度以下である場合、プリダンパ５２が円周方向に伸縮を繰り返し、サブプレート４４がハブ４２のフランジ４２ｂに対して相対回転することで、エンジン出力変動を吸収する。
【００５６】
次に、手動変速機３のニュートラル状態においてクラッチディスク４０がエンジン出力変動を吸収できない場合について説明する。
まず１つは、エンジン出力変動による捻り角度幅が大きくなり、プリダンパ５２が有する変動吸収領域（プリダンパ領域）を超えた場合である。捻り角度幅が変動吸収領域を越えた領域（メインダンパ領域）に入った場合、伝達されるエンジン出力変動によりプリダンパ５２は縮められ、ハブ４２の突起４２ｃとサブプレート４４の内側突起４４ａとが当接するので、エンジン出力変動が吸収されない。その結果、例えば手動変速機３の入力軸にエンジン出力変動が伝達され、同入力軸のトップギヤと同トップギヤとかみ合うカウンタシャフトドライブギヤとが当接する状態において当接方向と反対向きの出力変動が入力された場合にはそれらギヤが叩き合うことにより歯打ちが生じる。
【００５７】
エンジン出力変動の捻り角度幅が大きくなる場合として、エンジン回転速度が低くなった場合や、フライホイール１７に設けられたダンパで共振が起こることで振動が増幅された場合、あるいはそれらが共に起こる場合等が挙げられる。エンジン回転速度が低くなった場合に捻り角度幅が大きくなるのは、出力変動の周期が長くなり、捻り角度が大きくなるための時間が長くなるためである。
【００５８】
もう１つの振動を吸収できない場合は、手動変速機３の入力軸にかかる回転抵抗が大きくなることで、見かけの変動吸収領域が変化し、エンジン出力変動による捻り角度が変動吸収領域外になった場合である。
【００５９】
例えば手動変速機３内の油温が低い場合は、油温が高い場合と比較してオイルの粘度が高く、回転抵抗も大きい。回転抵抗が大きくなると回転速度を一定に維持するために必要なトルクも大きくなるため、プリダンパ５２はその周方向の長さが縮められた状態でトルクを伝達する。エンジン出力変動の有無に関わらず、大きな回転抵抗に等しいトルクを伝達するためにプリダンパ５２は縮められた状態となるため、さらに捻り振動が加わった場合、プリダンパは縮み切り、ハブ４２の突起４２ｃとサブプレート４４の内側突起４４ａとが当接する。そのため、エンジン出力変動が吸収されず、その結果、例えば互いに当接する入力軸のトップギヤと同トップギヤとかみ合うカウンタシャフトドライブギヤとが強く押し付けられて跳ね返り、反対方向に相対回転して  歯打ちが生じる。
【００６０】
図４（ｂ）は、回転抵抗が大きい場合における見かけの捻り特性を示している。この見かけの捻り特性は、回転抵抗と等しいトルクを伝達し、回転速度を一定に維持している状態を基準とした時の捻り特性である。横軸は、エンジン出力変動によって生じる捻り角度であり、上述のような回転抵抗に起因する捻り角度は含まない。縦軸はプリダンパ５２及びメインダンパ５４が発生させるトルクである。この回転抵抗が高い場合の見かけの捻り特性は、ダンパの特性を表す図４（ａ）の捻り特性を捻り角度軸方向にシフトした特性になる。
【００６１】
ここで、回転抵抗が小さければ小さいほど、見かけの捻り特性はダンパの捻り特性に近づくため、以下では、図４（ａ）を回転抵抗が小さい場合における見かけの捻り特性として比較する。
【００６２】
例えば、図４（ａ）に示すように回転抵抗が小さな場合では、捻り角度が＋θ１から−θ１までの間を振動してもその振動は変動吸収領域内であるため振動が吸収される。しかしながら、図４（ｂ）に示すように回転抵抗が大きな場合は、変動吸収領域の中心が捻りトルク軸からずれており、捻り角度が＋θ１から−θ１までの間を振動するとその振動の正側では変動吸収領域を外れてしまい、プリダンパ５２による振動吸収が行われない。この様に、クラッチディスク４０に伝達されるエンジン出力変動による捻り角度は、捻り角の０点を中心に振動するため、この変動吸収領域が捻りトルク軸からずれるということは、変動吸収領域が一方に偏り、実質的には変動吸収領域が縮小したことを意味する。
【００６３】
以下に、図５を参照して第１の実施形態の車両の内燃機関制御装置であるＥＣＵ１１で実行されるプログラムの処理手順について説明する。
図５は本実施形態における車両で歯打ちによる振動及び騒音を抑制するフローチャートである。エンジンの回転速度はエンジン回転速度センサ２９にて、手動変速機３の入力軸の回転速度はＴ／Ｍ入力軸回転速度センサ３１にて、それぞれ検出される。ＥＣＵ１１はタイマーを備えており、プログラム処理と並行して時間をカウントする。
【００６４】
ステップ（以下、ステップをＳと記載する）１０にて、車速が０であるか否かが判定される。ここで肯定された、つまり停車中であると判定された場合はＳ２０に進む。また、否定された、つまり走行中であると判定された場合はリターンされる。尚、車速１０km/h未満であるか否か、といったように条件に幅を持たせて停車であるか否かの判定をしてもよい。
【００６５】
Ｓ２０にて、手動変速機３が中立状態（ニュートラル状態）か否かが判定される。ここで肯定された場合はＳ３０に進み、否定された場合はリターンされる。具体的には、ポジションスイッチ２１により検知されるシフトレバーＳの位置に基づき中立状態か否か判定される。
【００６６】
Ｓ３０にて、クラッチ１５が係合状態であるか否かが判定される。ここで肯定された場合はＳ４０に進み、否定された場合はリターンされる。具体的には、踏力センサ３３により検知されるクラッチＣの踏力に基づき係合状態であるか否か判定される。
【００６７】
Ｓ４０にて、タイマーのカウントを０にし、Ｓ５０に進む。
Ｓ５０にて、手動変速機３の入力軸の回転速度変動幅ΔωＴをエンジンの回転速度変動幅ΔωＥで割った値が所定値ω１以上であるか否かが判定される。ここで、回転速度変動幅は、所定時間内の最高回転速度から最低回転速度を引いた値を指す。また、変速機の内部にはギヤ等のガタがあり、歯打ちが生じていない場合でも上記値は通常「１．０」を超えている。このため、所定値ω１は、歯打ちが生じたことにより手動変速機３の入力軸の回転速度変動幅ΔωＴが大きくなったことを検出することのできる値、例えば「１．２」に設定される。尚、所定時間はエンジンの出力変動の周期よりも長いことが好ましい。
【００６８】
このＳ５０では、エンジンの出力変動が手動変速機３の入力軸に伝達されることで歯打ちが生じているか否かが判定される。このステップで肯定された、つまり歯打ちが発生していると判定された場合は、Ｓ６０に進み、否定された、つまり歯打ちが発生していないと判定された場合は、リターンされる。
【００６９】
Ｓ６０にて、タイマーのカウントが所定時間Ｔ１以上であるか否かが判定される。ここで肯定された場合はＳ９０に進み、否定された場合はＳ７０に進む。
Ｓ７０にて、変速機の入力軸の回転速度変動幅ΔωＴをエンジンの回転速度変動幅ΔωＥで割った値が所定値ω２以上であるか否かが判定される。このステップでは、単に歯打ちの有無が判定されるだけではなく、共振が起こっているか否かが判定される。プリダンパ５２が押し縮められて、ハブ４２の突起４２ｃとサブプレート４４の内側突起４４ａとが一方向に相対回転して当接し、その後に反対方向に相対回転してプリダンパ５２が延びてから再び押し縮められて、同突起４２ｃと同内側突起４４ａとが当接することを繰り返す共振状態では、上記値は約２〜３の値となる。そのため、所定値ω２はＳ５０で用いた所定値ω１よりも大きい値、例えば「１．５」に設定される。ここで肯定された、つまり共振が起こっていると判定された場合は、Ｓ８０に進み、否定された、つまり共振が起こっていないと判定された場合は、Ｓ５０に戻る。
【００７０】
Ｓ８０にて、タイマーのカウントが所定時間Ｔ２以上であるか否かが判定される。所定値Ｔ２はＳ６０で用いた所定値Ｔ１未満の値である。ここで肯定された場合はＳ９０に進み、否定された場合はＳ５０に戻る。
【００７１】
Ｓ６０又はＳ８０で肯定された場合は、Ｓ９０にて、エンジン１の回転速度を高くした後にＳ１００に進む。具体的には、ＥＣＵ１１が電子スロットルバルブ１３に対してスロットル開度を所定開度だけ大きくする指令を出す。スロットル開度が大きくなるとそれに伴い燃料噴射量も増え、エンジン１の回転速度が高くなる。
【００７２】
Ｓ５０、Ｓ６０、Ｓ７０、Ｓ８０、Ｓ９０は、歯打ちが所定時間以上継続している時には増速制御を行って歯打ちを抑制するといったフローであって、歯打ちとともに共振が起こっている時には、共振が起こっていない場合よりも所定時間を短くすることで増速制御を行うタイミングを早くしている。
【００７３】
Ｓ９０の後は、Ｓ１００にて、Ｓ５０と同様に変速機の入力軸の回転速度変動幅ΔωＴをエンジン１の回転速度変動幅ΔωＥで割った値が所定値ω１以上であるか否かが判定される。ここで肯定された、つまり歯打ちが継続している場合はＳ９０に進み、再びエンジン１の回転速度を高くする。否定された、つまり歯打ちが収まった場合はＳ１１０に進む。
【００７４】
Ｓ１１０にて、タイマーのカウントを０にした後にＳ１２０に進む。
Ｓ１２０にて、タイマーのカウントが所定時間Ｔ３以上であるか否かを判定する。ここで肯定された場合はＳ１３０に進み、否定された場合はＳ１２０に戻る。
【００７５】
Ｓ１３０にて、エンジン回転速度をアイドル回転数まで低くする。ここでは、既に歯打ちが収まってから所定時間Ｔ３以上の時間が経過しており、エンジン回転速度を高く維持する必要がないため、エンジン回転速度をアイドル回転速度まで低くする。この処理を行った後はリターンされる。
【００７６】
次に、上記プログラム処理を行った時の手動変速機３の入力軸に伝達されるエンジン出力変動の変化を図６を用いて説明する。
図６は、上記プログラム処理を行った時のタイムチャートである。
【００７７】
初期状態は、停車状態、手動変速機３の変速段はニュートラル、エンジン１はアイドリング状態、クラッチ１５は開放状態である。クラッチ１５が開放状態であり、手動変速機３の入力軸に駆動力は伝達されないため、回転速度は０である。
【００７８】
この初期状態では、Ｓ１０、Ｓ２０で肯定され、Ｓ３０で否定されている。
時間がｔ１からｔ２にかけて次第にクラッチを係合すると、手動変速機３の入力軸にエンジン１からの動力が伝達され、手動変速機３の入力軸回転速度が０からωＴｉｄｌｅに高められる。この間、クラッチディスク４０のプリダンパ５２は、手動変速機３の入力軸回転速度を高くするために必要なトルクを手動変速機３の入力軸に伝達するため、クラッチのプリダンパ５２は縮められ、変動吸収領域がシフトした状態となる。また、同じくこの間、エンジン１は手動変速機３の入力軸に運動エネルギーを奪われるため、エンジン回転速度は僅かながら低下する。エンジンの回転速度が低くなると出力変動が大きくなり、クラッチディスク４０の捻り角幅も大きくなる。
【００７９】
時間がｔ１からｔ２までの間では、Ｓ１０〜Ｓ３０で肯定され、Ｓ５０で否定されている。
時間がｔ２からｔ３にかけては、エンジン出力変動に起因する歯打ち発生しており、さらに共振が起こっている。これは、ｔ１からｔ２の間で変動吸収領域がシフトし、さらに出力変動が増大することで、プリダンパ５２が変動を吸収できなくなったためである。本実施形態では、ｔ２からｔ３までの間の手動変速機３の入力軸の回転速度変動幅をエンジン１の回転速度変動幅で割った値は所定値ω２以上になっている。
【００８０】
そのため、この時間がｔ２からｔ３までの間に、Ｓ５０で肯定、Ｓ６０で否定、Ｓ７０で肯定、Ｓ８０で肯定されている。ただし、ｔ３−ｔ２≧Ｔ２である。
時間がｔ３からｔ４の間は、歯打ちの原因であるエンジン１の出力変動幅を小さくするためにエンジン回転速度を高くしている。時間がｔ３になった時にＳ８０で肯定されるため、Ｓ９０の処理でエンジン回転速度を高くする。エンジン回転速度が高くなるに連れて手動変速機３の入力軸回転速度変動幅とエンジン１の回転速度変動幅とがそれぞれ狭くなり、ｔ４の時点で手動変速機３の入力軸の回転速度変動幅をエンジン１の回転速度変動幅で割った値が所定値ω１未満となる。その結果、Ｓ１００で肯定され、エンジン回転速度を高めていく制御をやめる。
【００８１】
時間がｔ４から後は、高めたエンジン回転速度を所定時間Ｔ３だけ継続した後に、ｔ５からｔ６にかけてエンジン回転速度をアイドル回転速度に戻す。ｔ６以降は、再び歯打ちが発生することがなければ、エンジン回転速度はアイドル回転速度に維持される。
【００８２】
尚、上記第１の実施形態におけるＥＣＵ１１とエンジン回転速度センサ２９とＴ／Ｍ入力軸回転速度センサ３１とは、歯打ち検出手段に相当する。
尚、上記第１の実施形態は、請求項１〜６及び請求項８及び請求項９のいずれか１項に記載の発明に相当する。
【００８３】
上記第１の実施形態では次のような効果を奏することができる。
（１）エンジン１の回転速度を上昇させると、出力変動の周期が短くなるとともに出力変動幅も狭くなる。本実施形態の構成によれば、歯打ちが検出されたことを条件として内燃機関の回転速度を上昇させる増速制御を実行するため、歯打ちが発生しないようにアイドル回転速度を予め高く設定する場合と比較して、歯打ちが発生していない時のアイドル回転速度を低くすることができることから燃費の向上を図れるとともに、歯打ちによる振動・騒音を低減することができる。
【００８４】
（２）本実施形態の構成によれば、ＥＣＵ１１は手動変速機３の入力軸の回転速度変動幅とエンジン１の回転速度変動幅との比が所定値より大きい時に歯打ちを検出するため、共振の発生をより正確に検出することができる。
【００８５】
（３）本実施形態の構成によれば、エンジン１の回転速度を上昇させる増速制御は歯打ちが検出されなくなるまでエンジン回転速度を上昇させるため、歯打ちを抑制するために必要な回転速度までエンジン回転速度を上昇させ、確実に歯打ちを抑制することができる。
【００８６】
（４）本実施形態の構成によれば、エンジン回転速度を上昇させる増速制御は、歯打ちが検出されなくなった後にエンジン回転速度を低下させるため、歯打ちが抑制された後に必要以上にエンジン回転速度を高く保つことがなく、燃費の向上を図ることができる。
【００８７】
（５）本実施形態の構成によれば、共振が検出された時は共振が検出されない時と比較して、歯打ちが発生していることを判定するまでの時間を短くするため、振動・騒音が大きく、持続しやすい共振状態であるときには迅速に増速制御を行うことで、振動による破損を防止することができる。
【００８８】
（６）本実施形態の構成によれば、エンジン回転速度を高くし、歯打ちが収まった後にエンジン回転速度を所定時間Ｔ３以上維持するため、歯打ちを十分に低減することで、エンジン回転をアイドル回転速度に戻した時に再び歯打ちが起こることを抑制できる。
【００８９】
第１の実施形態の変更例を以下に示す。
・本実施形態では、共振が発生しなくとも歯打ちが所定時間Ｔ１以上反復された場合は増速制御を行ったが、共振が発生したことを条件に増速制御を行い、共振が発生していないときには増速制御を行わないようにしてもよい。
【００９０】
同形態によれば、ＥＣＵ１１はエンジン１の出力軸から変速機の入力軸までの動力伝達系が共振したことを条件として歯打ちを検出するため、共振により急激に増大される歯打ちを抑制することができるとともに、それ以外の歯打ちが生じた場合には機関回転速度を低く維持することができる。
【００９１】
・本実施形態では、Ｓ５０にて手動変速機３の入力軸の回転速度変動幅ΔωＴをエンジン１の回転速度変動幅ΔωＥで割った値が所定値ω１以上である場合に歯打ちが発生していると判定したが、手動変速機３の入力軸の回転速度変動幅ΔωＴからエンジン１の回転速度変動幅ΔωＥを引いた値が所定値ω３以上である場合に歯打ちが発生していると判定してもよく、また、手動変速機３の入力軸の回転速度変動幅ΔωＴが所定値ω４以上である場合に歯打ちが発生していると判定してもよい。
【００９２】
・本実施形態では、Ｓ７０にて手動変速機３の入力軸の回転速度変動幅ΔωＴをエンジン１の回転速度変動幅ΔωＥで割った値が所定値ω２以上である場合に共振が発生していると判定したが、手動変速機３の入力軸の回転速度変動幅ΔωＴからエンジン１の回転速度変動幅ΔωＥを引いた値が所定値ω５以上である場合に歯打ちが発生していると判定してもよく、また、手動変速機３の入力軸の回転速度変動幅ΔωＴが所定値ω６以上である場合に歯打ちが発生していると判定してもよい。
【００９３】
・本実施形態では、Ｓ１００にて歯打ちが収まった場合にエンジン回転速度を高くする処理をやめているが、共振が収まった場合にエンジン回転速度を高くする処理を直ちにやめてもよい。
【００９４】
次に、本発明の第２の実施形態の車両の内燃機関制御装置であるＥＣＵ１１で実行されるプログラムの処理手順について説明する。
図７は、本実施形態における車両で歯打ちによる振動及び騒音を抑制するフローチャートである。手動変速機ケース４の振動はケース振動センサ３５にて検出される。ＥＣＵ１１はタイマーを備えており、プログラム処理と並行して時間をカウントする。
【００９５】
第１の実施形態と第２の実施形態との異なる点は以下の点である。
第１の実施形態では、歯打ちを判定するためにエンジン１の回転速度変動幅と手動変速機の回転速度変動幅とを用い、共振していることが判定された時にはエンジン回転速度を高くするタイミングを早くし、歯打ちが抑制されるまで高くした後はそのエンジン回転速度を所定時間経過するまで維持した。それに対し、第２の実施形態では手動変速機ケース４の振動振幅を用い、エンジン回転速度を高くするタイミングを変更せず、歯打ちが抑制されるまで高くした後はすぐにエンジン回転速度をアイドル回転速度に戻す点である。
【００９６】
以下の説明では、第１の実施形態で用いた部材と同一の部材については同一の名称および符号を用いることにより説明を省略する。
Ｓ２１０はＳ１０、Ｓ２２０はＳ２０、Ｓ２３０はＳ３０、Ｓ２４０はＳ４０と内容が同じステップであり、歯打ちが起こりうる状況か否かが判定される。Ｓ２４０の処理をした後はＳ２５０に進む。
【００９７】
Ｓ２５０にて、手動変速機ケース４の振動振幅Ｖｔが所定値Ｖ１以上であるか否かが判定される。このステップは、歯打ちが発生しているか否かを判定するステップであり、肯定された場合はＳ２６０に進み、否定された場合はリターンされる。ここで、所定値Ｖ１は、歯打ちが生じたことにより手動変速機ケース４の振動振幅Ｖｔが大きくなったことを検出することのできる値に設定される。尚、歯打ちだけでなく共振も発生した場合は、共振は発生せずに歯打ちが生じた場合と比較して振動振幅Ｖｔが大きくなるので、このステップにて肯定されることとなる。
【００９８】
Ｓ２６０にて、タイマーのカウントが所定時間Ｔ１以上であるか否かが判定される。ここで肯定された場合はＳ２７０に進み、否定された場合はＳ２５０に戻る。
Ｓ２７０にて、エンジン回転速度を高くした後にＳ２８０に進む。具体的には、Ｓ９０と同様、ＥＣＵ１１が電子スロットルバルブ１３に対して指令を出し、エンジン回転速度を高くする。
【００９９】
Ｓ２８０にて、Ｓ２５０と同様に手動変速機ケース４の振動振幅Ｖｔが所定値Ｖ１以上であるか否かが判定される。ここで肯定された、つまり歯打ちが継続している場合はＳ２７０に戻り、再びエンジン回転速度を高くする。否定された、つまり歯打ちが収まった場合はＳ２９０に進む。
【０１００】
Ｓ２９０にて、エンジン回転速度をアイドル回転速度まで低くする。この処理を行った後はリターンされる。
次に、上記第２の実施形態におけるプログラム処理を行った時の手動変速機ケース４の振動振幅の変化を、図８を用いて説明する。
【０１０１】
図８は、上記プログラム処理を行った時のタイムチャートである。
初期状態は、停車状態、手動変速機３の変速段はニュートラル、エンジン回転速度はアイドル回転速度、クラッチは係合状態である。
【０１０２】
この初期状態では、Ｓ２１０〜Ｓ２３０で肯定され、Ｓ２４０を処理した後にＳ２５０で否定されている。
時間がｔ１１からｔ１２の間は、歯打ちが発生しており、手動変速機ケース４の振動振幅が大きくなっている。これは、ｔ１１の時点でエアコンのスイッチをオンにしており、大きな動力が必要となるエアコン起動の負荷によりエンジン回転速度が低くなるためである。エンジン回転速度が低くなると、それに伴いエンジンの回転速度変動幅が大きくなるため、エンジン１の出力変動による捻り角幅がクラッチディスク４０のプリダンパ５２の変動吸収領域外になり、歯打ちが発生する。
【０１０３】
ｔ１１からｔ１２の間のケース振動Ｖｃは、所定値Ｖ１を超えており、Ｓ２５０で肯定される。その後もこの歯打ちは継続され、時間がｔ１２になった時にＳ２６０で肯定され、Ｓ２７０の処理に進む。
【０１０４】
時間がｔ１２からｔ１３の間は、Ｓ２７０とＳ２８０によりエンジン回転速度を高くする処理が行われる。エンジン回転速度を高くするにつれて、エンジンの回転速度変動幅が小さくなる。歯打ちの原因であるエンジン１の出力変動が小さくなると、歯打ちも抑制され、結果としてケース振動Ｖも小さくなっていく。時間がｔ１２になった時にＳ２８０で否定、つまり歯打ちが抑制されたと判定され、Ｓ２９０に進む。
【０１０５】
時間がｔ１３からｔ１４の間は、エンジン回転速度をアイドル回転速度まで戻す処理が行われる。これは、Ｓ２８０にて歯打ちが抑制されたと判定されてすぐに、エンジン回転速度をアイドル回転速度まで戻すことで燃料消費量を抑えることを目的とした処理である。時間がｔ１４以降では、再び歯打ちが発生することがなければ、エンジン回転速度はアイドル回転速度に維持される。
【０１０６】
尚、上記第２の実施形態におけるＥＣＵ１１とケース振動センサ３５とは、歯打ち検出手段に相当する。
尚、上記第２の実施形態は、請求項１〜３及び請求項７〜９のいずれか１項に記載の発明に相当する。
【０１０７】
上記第２の実施形態では次のような効果を奏することができる。
（１）エンジン１の回転速度を上昇させると、出力変動の周期が短くなるとともに出力変動幅も狭くなる。本実施形態の構成によれば、歯打ちが検出されたことを条件として内燃機関の回転速度を上昇させる増速制御を実行するため、歯打ちが発生しないようにアイドル回転速度を予め高く設定する場合と比較して、歯打ちが発生していない時のアイドル回転速度を低くすることができることから燃費の向上を図れるとともに、歯打ちによる振動・騒音を低減することができる。
【０１０８】
（２）本実施形態の構成によれば、ＥＣＵ１１は手動変速機３の入力軸を回転可能に保持する手動変速機ケース４の振動振幅が所定値より大きい時に歯打ちを検出するため、歯打ちを検出するための振動振幅を手動変速機ケース４の外側から測定でき、その結果、歯打ちを検出する構造を簡素なものにすることができる。
【０１０９】
（３）本実施形態の構成によれば、エンジン回転速度を上昇させる増速制御は歯打ちが検出されなくなるまでエンジン回転速度を上昇させるため、歯打ちを抑制するために必要な回転速度までエンジン回転速度を上昇させ、確実に歯打ちを抑制することができる。
【０１１０】
（４）本実施形態の構成によれば、エンジン回転速度を上昇させる増速制御は、歯打ちが検出されなくなった後にエンジン回転速度を低下させるため、歯打ちが抑制された後に必要以上にエンジン回転速度を高く保つことがなく、燃費の向上を図ることができる。
【０１１１】
（５）本実施形態の構成によれば、歯打ちが収まった後すぐにエンジン回転速度をアイドル回転数まで低くするため、燃費の向上を図ることができる。
第２の実施形態の変更例を以下に示す。尚、第１の実施形態の変更例に記載した内容と同様の変更例については省略する。
【０１１２】
・本実施形態では、歯打ちを所定時間Ｔ１以上検出した時に増速制御を行ったが、共振を所定時間以上検出した時に増速制御を行ってもよい。すなわち、所定値Ｖ１を、共振が生じたことにより手動変速機ケース４の振動振幅Ｖｔが特に大きくなったことを検出することのできる値に設定してもよい。
【０１１３】
尚、上記各実施形態では、Ｓ９０またはＳ２７０にてスロットル開度を所定開度だけ大きくし、一回に高める速度量は一定だったが、歯打ちの強度が強いときには弱い時よりも一回に高める速度量を大きくしてもよい。
【０１１４】
尚、上記各実施形態では、クラッチ１５にプリダンパ５２とメインダンパ５４が備えられていたが、これらダンパがないクラッチにも適用可能である。
・尚、上記実施形態では、手動変速機の入力軸の回転速度変動幅、又はケースの振動振幅に基づいて歯打ちを検出したが、例えばクラッチを開放状態から係合状態にしたことやエアコンをＯＦＦからＯＮにしたことの様に、エンジンに負荷がかかったことに基づいて検出してもよい。
【図面の簡単な説明】
【０１１５】
【図１】この発明の第１の実施形態にかかる車両の内燃機関制御装置を搭載した車両のパワートレーンを示す概略構成図。
【図２】同実施形態におけるクラッチディスクの部分断面図。
【図３】同実施形態におけるクラッチディスクの断面図。
【図４】（ａ）は同実施形態におけるクラッチ捻り特性、（ｂ）は同実施形態において回転抵抗が大きい場合の見かけのクラッチ捻り特性。
【図５】同実施形態における歯打ちによる振動及び騒音を抑制するフローチャート。
【図６】同実施形態において増速制御時の回転速度変動を示すタイムチャート。
【図７】第２の実施形態における歯打ちによる振動及び騒音を抑制するフローチャート。
【図８】同実施形態における増速制御時の回転速度変動を示すタイムチャート。
【符号の説明】
【０１１６】
１…エンジン、３…手動変速機、４…手動変速機ケース、５…ディファレンシャルギヤ、１１…ＥＣＵ、１５…クラッチ、１７…フライホイール、２９…エンジン回転速度センサ、３１…Ｔ／Ｍ入力軸回転数センサ、３３…クラッチの踏力センサ、５２…プリダンパ、５４…メインダンパ。
【図１】
2010071109.tif 000003
【図２】
2010071109.tif 000004
【図３】
2010071109.tif 000005
【図４】
2010071109.tif 000006
【図５】
2010071109.tif 000007
【図６】
2010071109.tif 000008
【図７】
2010071109.tif 000009
【図８】
2010071109.tif 000010